(57)【要約】【課題】生産効率が向上すると共に、送風機の軸方向の寸法を短くすることができるアウターロータ型送風機を提供する。【解決手段】アウターロータ型送風機１０において、回転子３４とシロッコファン１４とを合成樹脂により一体成形し、また、シロッコファン１４のブレード４２の横断面形状が外周側ほど細くなるように形成したものである。【選択図】      図２
2006063892.tif 000002
【特許請求の範囲】
【請求項１】
円形、または、リング状の基板と、
前記基板の外周部に複数枚のブレードが軸方向に立設され、
前記複数枚のブレードの先端部がリング状の連結部によって連結され、
前記ブレードの横断面形状が外周側ほど細くなる
ことを特徴とするシロッコファン。
【請求項２】
給湯器用のアウターロータ型送風機において、
固定子の外周側にカップ状の回転子が配され、
前記固定子の中心に軸受けを介して回転自在に回転シャフトが配され、
前記カッブ状の回転子の中心にあるボスに前記回転シャフトに取り付けられ、
前記カップ状の回転子の外周側にシロッコファンが設けられ、
前記カップ状の回転子と前記シロッコファンとが合成樹脂によって一体に成形され、
前記シロッコファンは、
前記カップ状の回転子の外周部からリング状の基板が外周側へ突出し、
前記リング状の基板に複数枚のブレードが軸方向に立設され、
前記複数枚のブレードの先端部がリング状の連結部によって連結された
ことを特徴とするアウターロータ型送風機。
【請求項３】
前記ブレードの横断面形状が外周側ほど細くなる
ことを特徴とする請求項１記載のアウターロータ型送風機。
【請求項４】
前記カップ状の回転子と前記固定子によってアウターロータ型のブラシレスＤＣモータが構成されている
ことを特徴とする請求項２記載のアウターロータ型送風機。
【請求項５】
固定子の外周側にカップ状の回転子が配され、
前記固定子の中心に軸受けを介して回転自在に回転シャフトが配され、
前記カッブ状の回転子の中心にあるボスに前記回転シャフトに取り付けられ、
前記カップ状の回転子の外周側にシロッコファンが設けられたアウターロータ型送風機であり、
前記シロッコファンは、
前記カップ状の回転子の外周部からリング状の基板が外周側へ突出し、
前記リング状の基板に複数枚のブレードが軸方向に立設され、
前記複数枚のブレードの先端部がリング状の連結部によって連結されたものであり、
前記カップ状の回転子と前記シロッコファンとを合成樹脂によって一体に成形するアウターロータ型送風機の製造方法であって、
前記シロッコファンの内周側を成形する第１の型と、前記カップ状の回転子の内周側と前記シロッコファンの外周側を成形する第２の型とを組み合わせ、前記第１の型と前記第２の型との間に合成樹脂を流し込んで成形し、
この成形時に前記第１の型と前記第２の型との型割面を前記ブレードの内周側と外周側の境目に位置させ、前記第２の型によって前記ブレードの横断面形状が外周側ほど細くなるように成形する
ことを特徴とするアウターロータ型送風機の製造方法。
【発明の詳細な説明】
【技術分野】
【０００１】
本発明は、シロッコファンとそれを用いたアウターロータ型送風機に関するものである。
【背景技術】
【０００２】
給湯器には、燃焼用空気をバーナーへ供給する送風機が設けられている。この送風機によりバーナーへ送風された空気は、燃料制御部により流量が制御された燃料用ガスとバーナーで混合されて燃焼室へ噴射され、燃焼室で燃焼されて熱交換器により水と熱交換される。
【０００３】
このような給湯器用の送風機として、従来、モータの回転軸に、シロッコファンの中心部に設けられたボスに対しネジ止めすることによって固定される送風機が提案されている（特許文献１参照）。
【特許文献１】特開平１１−３７０９０号公報
【発明の開示】
【発明が解決しようとする課題】
【０００４】
上記のような給湯器に用いられる送風機においては、モータとシロッコファンとは別部材であり、シロッコファンとモータとを取り付ける工程が必要である。
【０００５】
そのため、コストが上昇すると共に、生産効率の悪化及び軸方向の寸法が長くなるという問題点がある。
【０００６】
そこで、本発明は上記問題点に鑑み、生産効率が向上すると共に、送風機の軸方向の寸法を短くすることができるシロッコファン及びアウターロータ型送風機を提供する。
【課題を解決するための手段】
【０００７】
請求項１に係る発明は、円形、または、リング状の基板と、前記基板の外周部に複数枚のブレードが軸方向に立設され、前記複数枚のブレードの先端部がリング状の連結部によって連結され、前記ブレードの横断面形状が外周側ほど細くなることを特徴とするシロッコファンである。
【０００８】
請求項２に係る発明は、給湯器用のアウターロータ型送風機において、固定子の外周側にカップ状の回転子が配され、前記固定子の中心に軸受けを介して回転自在に回転シャフトが配され、前記カッブ状の回転子の中心にあるボスに前記回転シャフトに取り付けられ、前記カップ状の回転子の外周側にシロッコファンが設けられ、前記カップ状の回転子と前記シロッコファンとが合成樹脂によって一体に成形され、前記シロッコファンは、前記カップ状の回転子の外周部からリング状の基板が外周側へ突出し、前記リング状の基板に複数枚のブレードが軸方向に立設され、前記複数枚のブレードの先端部がリング状の連結部によって連結されたことを特徴とするアウターロータ型送風機である。
【０００９】
請求項３に係る発明は、前記ブレードの横断面形状が外周側ほど細くなることを特徴とする請求項１記載のアウターロータ型送風機である。
【００１０】
請求項４に係る発明は、前記カップ状の回転子と前記固定子によってアウターロータ型のブラシレスＤＣモータが構成されていることを特徴とする請求項２記載のアウターロータ型送風機である。
【００１１】
請求項５に係る発明は、固定子の外周側にカップ状の回転子が配され、前記固定子の中心に軸受けを介して回転自在に回転シャフトが配され、前記カッブ状の回転子の中心にあるボスに前記回転シャフトに取り付けられ、前記カップ状の回転子の外周側にシロッコファンが設けられたアウターロータ型送風機であり、前記シロッコファンは、前記カップ状の回転子の外周部からリング状の基板が外周側へ突出し、前記リング状の基板に複数枚のブレードが軸方向に立設され、前記複数枚のブレードの先端部がリング状の連結部によって連結されたものであり、前記カップ状の回転子と前記シロッコファンとを合成樹脂によって一体に成形するアウターロータ型送風機の製造方法であって、前記シロッコファンの内周側を成形する第１の型と、前記カップ状の回転子の内周側と前記シロッコファンの外周側を成形する第２の型とを組み合わせ、前記第１の型と前記第２の型との間に合成樹脂を流し込んで成形し、この成形時に前記第１の型と前記第２の型との型割面を前記ブレードの内周側と外周側の境目に位置させ、前記第２の型によって前記ブレードの横断面形状が外周側ほど細くなるように成形することを特徴とするアウターロータ型送風機の製造方法である。
【発明の効果】
【００１２】
請求項１に係る発明のシロッコファンであると、シロッコファン外周の風通路面積が大きくなるため、風量特性の向上を図ることができる。
【００１３】
請求項２に係る発明のアウターロータ型送風機においては、アウターロータ型のモータにおいて回転子とシロッコファンとを合成樹脂で一体成形することにより、部品点数の削減、コストダウン、生産効率が向上すると共に、送風機の軸方向の寸法を短くすることができる。
【００１４】
請求項３に係る発明のアウターロータ型送風機においても、シロッコファンの外周の風通路面積が大きくなるため、風量特性の向上が計れる。
【００１５】
請求項５に係る発明のアウターロータ型送風機の製造方法であると、回転子とシロッコファンを合成樹脂によって一体成形するときに、ブレードの横断面形状が外周側ほど細くなるように形成することができる。
【発明を実施するための最良の形態】
【００１６】
（第１の実施形態）
本発明の第１の実施形態の給湯器用のアウターロータ型送風機１０について図１に基づいて説明する。
【００１７】
図１に基づいて送風機１０の構造について説明する。
【００１８】
この送風機１０は、モータ１２とシロッコファン１４とより構成されている。
【００１９】
モータ１２は、アウターロータ型のブラシレスＤＣモータである。モータ１２の固定子１６は、リング状の固定子鉄心１８を絶縁性のあるモールド樹脂によりプレモールドを施し絶縁層を形成し、この絶縁層２０が施された固定子鉄心１８のスロットにコイル２２が巻回されている。
【００２０】
この固定子１６の反出力側において、前記絶縁層２０によって形成された支持部によってリング板形状の配線基板２４が取り付けられている。
【００２１】
この配線基板２４と固定子１６は、その反出力側において皿状の鋼板製のケーシング２６に取り付けられている。ケーシング２６は、その中央部に合成樹脂性の筒体２８が軸方向に立設され、この筒体２８の外周部にリング状の固定子１６が挿入され固定されている。また、筒体２８の内周側には軸受３０が配され、この軸受３０の内周側に回転シャフト３２が取り付けられている。この回転シャフト３２は軸受３０によって、ケーシング２６及び固定子１６に対し回転自在に配されている。
【００２２】
回転シャフト３２の出力側の先端部には、カップ状の回転子３４が取り付けられている。カップ状の回転子３４の中央部には、ボス３６が設けられ、このボス３６に回転シャフト３２が嵌合し固定されている。カップ状の回転子３４の内周側、すなわち回転子３４の回転子ヨークの内周側にはＳ極とＮ極の永久磁石３８が交互に取り付けられている。この永久磁石３８は、固定子１６に対し相対向する位置に配されている。
【００２３】
カップ状の回転子３４は、シロッコファン１４と合成樹脂により一体成形されている。カップ状の回転子３４の外周側からリング状の基板４０が外方へ突出し、このリング状の基板４０の外周側に複数枚のブレード４２が軸方向に立設されている。ブレード４２の先端部、すなわち、基板４０と反対側の端部は、リング状の連結板４４によって連結されている。この基板４０、ブレード４２、連結板４４によってシロッコファン１４が構成され、これら部材は回転子３４と共に合成樹脂により一体成形されている。
【００２４】
本実施形態の送風機１０であると、回転子３４とシロッコファン１４とが合成樹脂により一体成形されているため、作業工程が少なくなり、生産効率が向上する。
【００２５】
また、一体成形することにより部品点数を削減でき、コストダウンも図ることができる。
【００２６】
さらに、シロッコファン１４の基板４０が、カップ状の回転子３４の外周部から突出する形状であるため、この一体成形された回転子３４とシロッコファン１４の軸方向の長さを短くすることができ、送風機１０の全体をコンパクト化することができる。
【００２７】
（第２の実施形態）
本発明の第２の実施形態のアウターロータ型の送風機１０について図２から図４に基づいて説明する。
【００２８】
本実施形態と第１の実施形態の送風機１０の異なる点は、ブレード４２の横断面形状にある。第１の実施形態では、図１（ｂ）に示すように、ブレード４２の横断面形状は、翼入口側（内周側）と翼出口側（外周側）の肉厚がほぼ同じであったが、第２の実施形態では、図３に示すように、ブレード４２の横断面形状が内周側から外周側に行くほど細くなり、具体的には外周側ほど細くなるような流線型状をなしている。
【００２９】
このようなブレード４２の形状にすることにより、シロッコファン１４の外周側の風通路面積が大きくなり、風量特性の向上を図ることができる。
【００３０】
次に、この形状のブレード４２を有したシロッコファン１４と回転子３４との製造方法について図３と図４に基づいて説明する。
【００３１】
上記したようにシロッコファン１４と回転子３４とは、合成樹脂により一体成形されているものであり、これら一体成形されたシロッコファン１４と回転子３４は、第１の型である可動型４６と、第２の型である固定型４８とにより成形される。
【００３２】
固定型４８は、図４に示すように、カップ状の回転子３４の内周側、すなわち、固定子１６が配される側を成形し、可動型４６はシロッコファン１４の内周側を成形するように配される。この場合に、可動型４６と固定型４８の型割り面は、図４に示すように、ブレード４２のほぼ中央部に位置させるようにする。この型割り面は図３においては点線で表されている。
【００３３】
上記のように可動型４６と固定型４８の型割り面をブレード４２のほぼ中央部に位置させることにより、固定型４８の部分でブレード４２の先細り部分を成形することができ、シロッコファン１４と回転子３４を一体成形することができる。
【００３４】
なお、上記実施形態では第１の型を可動型４６とし、第２の型を固定型４８としたが、これに代えて第１の型を固定型とし、第２の型を可動型としてもよい。
【産業上の利用可能性】
【００３５】
本発明のシロッコファン及びアウターロータ型送風機は、給湯器の送風機に好適である。
【図面の簡単な説明】
【００３６】
【図１】本発明の第１の実施形態の送風機の図であり、（ａ）は送風機の縦断面図であり、（ｂ）はシロッコファンの平面図である。
【図２】本発明の第２の実施形態の送風機の図であり、（ａ）は送風機の縦断面図であり、（ｂ）はシロッコファンの平面図である。
【図３】第２の実施形態のブレードの拡大平面図である。
【図４】第２の実施形態における可動型と固定型によりシロッコファン及び回転子を一体成形する場合の説明図である。
【符号の説明】
【００３７】
１０  送風機
１２  モータ
１４  シロッコファン
１６  固定子
１８  固定子鉄心
３２  回転シャフト
３４  回転子
３６  ボス
３８  永久磁石
４０  基板
４２  ブレード
４４  連結板
４６  可動型
４８  固定型
【図１】
2006063892.tif 000003
【図２】
2006063892.tif 000004
【図３】
2006063892.tif 000005
【図４】
2006063892.tif 000006